(57)【要約】      （修正有）【課題】低コストで作成することができ、視認時の機器のずれを防止し、かつ、装着時及び視認時の不快感を解消することができる補助具を提供する。【解決手段】機器本体及び支持ベルトの下に装着する環状のリストバンドであって、支持ベルトを巻着する環状の巻着面１と、巻着面の両縁部に設置された環状の土手２と、巻着面の裏側に縫設された少なくとも１の突起部３と、を有することを特徴とする。巻着面上に機器及び支持ベルトを装着した時、巻着面の両縁部に設置された土手が機器の支持ベルトを挟みこみ、支持ベルトの幅方向への動きを制限することから、支持ベルトが巻着面上から脱落するのを防止する。また、本リストバンドに腕を通すと、巻着面裏側の突起部が腕表面の反力により外側に突出し、突出部が機器の時計１２時方向の縁部分に撞突するため、腕を曲げて機器を視認する時に機器本体が視認者の身体前方向に回転することを防止する。【選択図】図１
0003191332.tif 000002
【実用新案登録請求の範囲】
【請求項１】
腕時計等腕装着型携帯機器の装着時に、補助具として前記機器の本体及び支持ベルトの下に装着する環状のリストバンドであって、
前記機器の本体及び支持ベルトを巻着する環状の巻着面と、
前記載置面の両縁部に設置された環状の土手と、
前記巻着面の裏側に縫設された少なくとも１の突起部と、
を有することを特徴とするリストバンド。
【請求項２】
前記機器及び前記リストバンドの装着時に、
前記載置面の両縁部に設置された前記土手が前記巻着面に巻着された前記支持ベルトの前記リストバンド幅方向への動きを制限することにより、前記支持ベルトの前記巻着面上からの脱落を防止し、
前記機器の視認時に、前記巻着面の裏側に縫設された少なくとも１の突起部が腕表面の反力により前記巻着面の表側に突出して前記機器本体の縁部に撞突し、前記機器本体の前記リストバンド長手方向への動きを制限するため、前記機器本体及び前記支持ベルトが視認者の身体前方向に回転・移動することを防止することを特徴とする請求項１記載のリストバンド。
【考案の詳細な説明】
【技術分野】
【０００１】
本考案は、腕時計等腕装着型携帯機器の視認性及び装着感を向上させるための補助具に関する。
【背景技術】
【０００２】
腕時計等腕装着型携帯機器（以後、明細書においては単に「機器」という）としては、腕時計のほか、ＧＰＳ機能搭載の位置測定器、腕装着型無線機器、ランナー用測定機器等があるが、現在ではテレビ、電話、コンピュータなどについても腕装着型のものが開発され、その種類と数は増加しつつある。
【０００３】
このような機器を手の甲側に装着した時、普通に手を下ろしている時は表示盤は体の外側に向いているが、手を顔に近づけて表示板を見ようとすると、表示盤が時計１２時方向に回転・移動してしまい、見にくくなることが多い。
【０００４】
上記の問題を解決する方法としては、（１）可能な限り支持ベルトをきつく巻く、（２）市販の汗拭き用リストバンドを機器本体及び支持ベルトの下に巻いたうえに機器を装着する、等が一般的に行われている。
【先行技術文献】
【特許文献】
【０００５】
【特許文献１】特開平９−１６８４１３号
【考案の概要】
【考案が解決しようとする課題】
【０００６】
上述したように、機器の装着を安定させ、視認時の本体のずれを防ぐためには、支持ベルトの巻き方をきつくするのが一般的であるが、きつく巻くほど腕に対する負担が増大する。また、市販のリストバンドを巻いたうえに機器を装着した場合においては、腕の負担は減少するが、機器又は支持ベルトがリストバンドから外れる可能性が生じる。さらに、この場合においても、機器本体のバンド長手方向への回転・移動の問題は完全には解消されない。
【０００７】
さらに、機器を装着した状態で机に掌を着いた時などに、機器本体が手の甲に当接することによって不快感が生じることもある。
【０００８】
視認時の機器本体のずれを解消すべく、特許文献１には、機器の支持ベルトの途中部分をフリーアジャスタータイプの特殊なバンド留め具によって挟んで保持することによって、本体を隙間なく腕に着設・固定する補助ベルトの発明が開示されている。しかしながら、このような特殊なバンド留め具は製造にコストがかかるうえ、既存の支持ベルトに追加的に設置することができないため、支持ベルト全体の交換が必要となる。また、腕をきつく締めることによる不快感と、機器を装着した状態で机に掌を着いたときなどに機器本体が手の甲に当接して感じる不快感の問題も残る。
【０００９】
本考案は、以上の問題に鑑み、低コストで作成することができ、視認時の機器のずれを防止し、かつ、装着時及び視認時の不快感を解消することができる補助具を提供することを課題とする。
【課題を解決するための手段】
【００１０】
上記課題を解決するために、本考案に係る補助具は、機器本体及び支持ベルトの下に装着する環状のリストバンドであって、支持ベルトを巻着する環状の巻着面と、前記載置面の両縁部に設置された環状の土手と、前記巻着面の裏側に縫設された少なくとも１の突起部と、を有することを特徴とする
【００１１】
本リストバンドの巻着面上に機器及び支持ベルトを装着した時、巻着面の両縁部に設置された土手が機器の支持ベルトを挟みこみ、支持ベルトの幅方向への動きを制限することから、支持ベルトが巻着面上から脱落するのを防止する。また、本リストバンドに腕を通すと、巻着面裏側の突起部が腕表面の反力により巻着面の表側に突出し、該突出部が機器の時計１２時方向の縁部分に撞突するため、腕を曲げて機器を視認する時に機器本体が視認者の身体前方向に回転することを防止する。
【００１２】
リストバンドの素材は、天然繊維又は化学繊維をニット形式に編み込んだ伸縮性のものを使用することにより、装着が容易で、また、腕にやさしいものとなる。
【考案の効果】
【００１３】
リストバンド両縁に設置された土手と、巻着面裏側の突起部の表側への反突により、視認時の腕時計等の本体及び支持ベルトの身体前方向への回転・移動を効果的に防止できるので、逆の手で本体の位置を正すことなく視認することが可能となる。
【００１４】
腕にやさしい材質のリストバンドにより、支持ベルトをきつく締めるときに感じる不快感を解消することができる。
【００１５】
リストバンド上の手の甲側の土手が盾となり、機器を装着した状態で机に掌を着いたときなどに機器本体が手の甲に当接して感じる不快感の問題も解消する。
【００１６】
天然繊維又は化学繊維をニット形式に編み込む等の方法により、簡単に作ることができるため、汎用性があり、費用がかからない。
【図面の簡単な説明】
【００１７】
【図１】本実施形態におけるリストバンドの斜視図である。
【図２】本実施形態におけるリストバンドの正面図である。（Ａ）は装着前の状態を、（Ｂ）は腕に装着した状態を示す。
【図３】本実施形態におけるリストバンドの平面図である。（Ａ）は土手の作成過程の１例を示し、（Ｂ）は土手作成後を示す。
【図４】本実施形態におけるリストバンドの使用状態を示す斜視図である。
【考案を実施するための形態】
【００１８】
以下、本考案の実施形態について図を用いて説明する。
【００１９】
本実施形態に係る補助具は、羊毛等の天然繊維又はアクリル等の化学繊維を編み込んだ伸縮性のニットを使用する。図１に示すように、本リストバンドは機器を巻着するための環状の巻着面１、巻着面１の両縁部に設置された環状の土手２、巻着面１の裏側に縫設された突起部３によって構成される。図４は、実際に機器とともに本リストバンドを装着した状態を示す。
【００２０】
図２は本リストバンドの正面図で、本リストバンドに腕５を通して装着したときの突起部３の動きを表す。（Ａ）は装着前の状態を、（Ｂ）は装着時の状態を示す。すなわち、突起部３が上になるようにして腕５をリストバンドに通すと、腕表面の反力により突起部３が収縮性を有する巻着面１を押し上げて巻着面１の表面に突出部４を創出する。この突出部が１２時の側の機器本体（時計）の縁部に撞突することにより、機器本体の身体前方向への回転・移動を防止する。
【００２１】
図３は本リストバンドの平面図で、（Ａ）は土手２の作成過程を、（Ｂ）は作成後を示す。本実施形態では、矩形のニット生地の両端を（Ａ）に示すように内側に丸めながらロール状の土手２を作成して糸留する。土手２に挟まれた中央部分が巻着面１となり、ここに巻着した機器本体及び支持ベルトは土手２の高さにより、バンド幅方向への動きが制限される。
【００２２】
以上、本考案の有する多くの特徴、及び優れた点を、考案の構成と機能をあげて上記実施形態に記載したが、本考案は、本考案の原理の範囲内で、本願の実用新案登録請求の範囲で使用されている言葉を広く一般的な意味にまで広げて、細かな点を変更しての実施が可能である。特に巻着面、土手及び突起部の形状と素材については様々なものとする実施形態が可能である。例えば、素材はニットではなく厚手の布とすることもできるし、土手は上述のようにロール状にせずとも、スポンジ等の弾性体を布でくるんで縫合したものとすることもできる。また、突起部の数についても、機器の大きさと形状に合わせて２以上とすることもできる。これらの実施形態は、いずれも本考案の技術的範囲に含まれるものである。
【符号の説明】
【００２３】
１    巻着面
２    土手
３    突起部
４    突出部
５    腕
【図１】
0003191332.tif 000003
【図２】
0003191332.tif 000004
【図３】
0003191332.tif 000005
【図４】
0003191332.tif 000006
【手続補正書】
【提出日】平成26年4月9日(2014.4.9)
【手続補正１】
【補正対象書類名】実用新案登録請求の範囲
【補正対象項目名】請求項１
【補正方法】変更
【補正の内容】
【請求項１】
腕時計等腕装着型携帯機器の装着時に、補助具として前記機器の本体及び支持ベルトの下に装着する環状のリストバンドであって、
前記機器の本体及び支持ベルトを巻着する環状の巻着面と、
前記巻着面の両縁部に設置された環状の土手と、
前記巻着面の裏側に縫設された少なくとも１の突起部と、
を有することを特徴とするリストバンド。